(57)【要約】【課題】快適な姿勢で食事を行えると共に、椅子に座った状態で食品などが取り出し易い保冷庫付テーブルを提供すること。【解決手段】テーブルが天板１の下方に収納部６を有する扁平形状の保冷庫２を備え、収納部６は上方が開口した引き出し構造で水平方向に引き出し自在であり、食料品や飲料などを傾斜して保持する傾斜保持部３を備えており、また、保冷庫２の底部と床面１９との間に空間部４を構成することにより、収納性がよく、椅子に座った状態で食料品や飲料などを取り出すことが容易で、人２０の脚が保冷庫２の底面にあたることもなく、食事もしやすい。【選択図】図１
2011036579.tif 000002
【特許請求の範囲】
【請求項１】
天板と、前記天板の下方に設置された保冷庫を備え、前記保冷庫は食料品、飲料などを出し入れ自在な収納部を有し、前記収納部は水平方向に引き出し自在な上方を開口した引き出し構造であり、前記収納部内には食料品や飲料などを水平方向に対して上方へ傾斜した状態で保持する傾斜保持部を設けた保冷庫付テーブル。
【請求項２】
保冷庫の底部とテーブルを置く床面との間に空間部を構成し、前記空間部の高さを、テーブル使用者が椅子に腰掛けて使用する状態で、前記使用者の脚が前期保冷庫の底部に当たらないようにした請求項１記載の保冷庫付テーブル。
【請求項３】
保冷庫は高さが低い扁平形状とした請求項２記載の保冷庫付テーブル。
【請求項４】
傾斜保持部は引き出し方向の手前側が低くなるように構成した請求項１〜３のいずれか１項に記載の保冷庫付テーブル。
【請求項５】
傾斜保持部は収納部の底部を部分的に傾斜させることで構成した請求項１〜４のいずれか１項に記載の保冷庫付テーブル。
【請求項６】
傾斜保持部は線材で形成した請求項１〜４のいずれか１項に記載の保冷庫付テーブル。
【請求項７】
傾斜保持部が着脱可能であることを特徴とする請求項１〜６のいずれか１項に記載の保冷庫付テーブル
【請求項８】
保冷庫は、その保冷空間を冷却するペルチェ素子を内蔵した請求項１〜７のいずれか１項に記載の保冷庫付テーブル。
【請求項９】
ペルチェ素子は保冷庫の上面以外に内蔵されていることを特徴とする請求項１〜８のいずれか１項に記載の保冷庫付テーブル。
【請求項１０】
保冷庫は、その保冷空間を断熱する真空断熱材を内蔵した請求項１〜９のいずれか１項に記載の保冷庫付テーブル。
【発明の詳細な説明】
【技術分野】
【０００１】
本発明は、食料品などを保冷できる保冷庫を備えた保冷庫付テーブルに関するものである。
【背景技術】
【０００２】
家庭での食事は非常に多様化し、さまざまな食品（一例をあげるとドレッシングなどの多種類の調味料）あるいは飲物が冷蔵庫内で保存するようにしている。そのため、食事を行う際にこれらを調味料などの食品あるいは飲物を冷蔵庫から取り出し、冷蔵庫とは離れたテーブルまで運ぶ必要があり、食事準備が手間取るという課題を有していた。
【０００３】
これを解決するために、食事を行うテーブルに冷蔵庫を備えた保冷庫付テーブルが提案されている（例えば、特許文献１参照）。この特許文献１では、テーブルの下部に冷蔵庫を取付け、テーブル天板上面側から冷蔵庫内に収納した食品を取り出すようになっている。
【先行技術文献】
【特許文献】
【０００４】
【特許文献１】特開平８−１８７１３４号公報
【発明の概要】
【発明が解決しようとする課題】
【０００５】
しかしながら上記特許文献１では、テーブルの天板の上方から冷蔵庫内の食品を取り出す構成なので、食品の取り出し性が悪いという課題を有している。この取り出し性を良くするには、冷蔵庫の収納部を引き出し構成とすることも考えられるが、食品の中でも背が高いドレッシングなどの調味料においては、それを立ったまま収納できる空間を確保しようとすると、冷蔵庫の高さも高くなり、それをテーブルの下部に備えるとなると、人が椅子に座った状態でテーブルにつくと、人の足がテーブルの下部に張り出した冷蔵庫に当たり、テーブルそのものの快適な状態で食事を行うという本来の機能を損なうという課題を有していた。
【０００６】
本発明は、上記課題を解決し、快適な姿勢で食事を行えると共に、椅子に座った状態で食品などが取り出し易い保冷庫付テーブルを提供することを目的とする。
【課題を解決するための手段】
【０００７】
前記従来の課題を解決するために、本発明の保冷庫付テーブルは、天板と、前記天板の下方に設置された保冷庫を備え、前記保冷庫は食料品、飲料などを出し入れ自在な収納部を有し、前記収納部は水平方向に引き出し自在な上方を開口した引き出し構造であり、前記収納部内には食料品や飲料などを水平方向に対して上方へ傾斜した状態で保持する傾斜保持部を設けたものである。
【０００８】
これにより、背の高いドレッシングなどの食品を傾斜保持部に所定角度寝かせた状態で収納できるので、収納部の高さを低くでき、保冷庫自体のテーブル下方への突出代を小さくでき、テーブルにつく際に人の脚が保冷庫に当たることがないように設計することができる。また、収納部内の食品、飲料は引き出し構成なので、取出しも容易である。
【発明の効果】
【０００９】
本発明の保冷庫付テーブルは、食品、飲料が取り出し易く、かつ、保冷庫が脚に当たる
ことがない、快適な食事を行うことができる。
【図面の簡単な説明】
【００１０】
【図１】本発明の実施の形態１における保冷庫付テーブルの概略側面図
【図２】（Ａ）本発明の実施の形態２における保冷庫付テーブルの収納部を示す内部透視側面図、（Ｂ）本発明の実施の形態３における保冷庫付テーブルの収納部を示す内部透視側面図
【図３】（Ａ）本発明の実施の形態４における保冷庫付テーブルの収納部の要部斜視図、（Ｂ）同収納部の内部透視側面図
【図４】（Ａ）本発明の実施の形態５における保冷庫付テーブルの傾斜保持部の斜視図、（Ｂ）同傾斜保持部を収納した収納部の要部斜視図
【図５】本発明の実施の形態６におけるペルチェ素子および真空断熱材を内蔵した保冷庫の内部透視側面図
【発明を実施するための形態】
【００１１】
第１の発明は、天板と、前記天板の下方に設置された保冷庫を備え、前記保冷庫は、食料品、飲料などを出し入れ自在な収納部を有し、前記収納部を水平方向に引き出し自在な上方を開口した引き出し構造とするとともに、前記収納部内には食料品や飲料などを水平方向に対して上方へ傾斜した状態で保持する傾斜保持部を設けるものである。この構成により、椅子に座った状態で、保冷庫に収納されているものを取り出しやすくすることができる。また、背の高いドレッシングなどの食品を傾斜保持部に所定角度寝かせた状態で収納できるので、収納部の高さを低くでき、保冷庫自体のテーブル下方への突出代を小さくでき、テーブルにつく際に人の脚が保冷庫に当たることがない設計が容易に行える。
【００１２】
第２の発明は、前記第１の発明において、保冷庫の底部とテーブルを置く床面との間に空間部を構成し、前記空間部の高さを、テーブル使用者が椅子に腰掛けて使用する状態で、前記使用者の脚が前期保冷庫の底部に当たらないようにするものであり、この構成により、椅子に座った状態で保冷庫は脚に当たることがなく、食事の際に邪魔にならないようにすることができる。
【００１３】
第３の発明は、前記第２の発明において、保冷庫を高さが低い扁平形状とするものであり、これにより、テーブル天面の高さを、椅子に座った状態で食事がしやすい高さにすることができる。
【００１４】
第４の発明は、前記第１〜３の発明において、保持部は引き出し方向の手前側が低くなるように構成するものである。この構成により、背の高いドレッシングなどの食品を寝かせた状態で収納できるとともに、寝かせた食品は手前側が低く奥側が高くなった状態で収納されているので、保冷庫の収納部を引き出す際に、大きく引き出さなくとも食品のラベルや容器の中身を確認しやすく、出したいものを容易に確認することができる。また、傾斜勾配がゆるやかで、食品あるいは飲料などの収納物が缶やビンなどの円筒形、または果物など球形に近い形状のものを収納する場合、収納物が転がって常に手前側に来るので、取り出す際に収納部を大きく引き出す必要がなく、取り出しやすくなる。
【００１５】
第５の発明は、前記第１〜４の発明において、傾斜保持部は収納部の底部を部分的に傾斜させるものであり、これにより、別部材を用いることなく傾斜保持部を形成することができ、特に、第４の発明のように奥側から手前に向かって収納物の食品、飲料を転がすような場合には、その制作上、きわめて有用である。
【００１６】
第６の発明は、前記第１〜４の発明において、傾斜保持部は線材で形成するものであり、これにより、食品、飲料の収納物が冷気に触れやすく速やかに冷却でき、また収納物を
保持していない空いた傾斜保持部がある時は、その部分は空気が自由に流れることができるので、収納部の内部全体に冷気が速やかにいきわたり、冷却効率を高めることができる。
【００１７】
第７の発明は、前記第１〜６の発明において、傾斜保持部を着脱可能とするものであり、これにより、収納したいものが、高さの低いものや斜めに保持しにくい形状のものを含んでいる場合、必要な箇所にのみ傾斜保持部を取り付けて、収納性を良くすることができる。
【００１８】
第８の発明は、前記第１〜７の発明において、保冷庫は、その保冷空間を冷却するペルチェ素子を内蔵するものであり、この構成により、保冷庫の外形を大きくすることなく、かつ、保冷空間を小さくすることなく、冷却機能をもたせることができる。
【００１９】
第９の発明は、前記第１〜８の発明において、ペルチェ素子を保冷庫の上面以外に内蔵するものであり、これにより、テーブルの天板以外の開放空間にペルチェ素子の冷却面の裏面が位置することになり、ペルチェ素子の冷却面の裏面からの放熱がしやすくなり、保冷庫の冷却効率を高くすることができる。
【００２０】
第１０の発明は、前記第１〜９の発明において、その保冷空間を断熱する真空断熱材を内蔵するものであり、これより、保冷庫の壁を薄くすることができ、保冷庫の外形が同じであっても内部の収納部の容量を大きくすることができる。
【００２１】
以下、本発明の実施の形態について、図面を用いて説明する。なお、この実施の形態によって本発明が限定されるものではない。
【００２２】
（実施の形態１）
図１に、本発明の第１の実施の形態における保冷庫付テーブルの概略を示す。図において、１はテーブルの天板で、２は食品や飲料を保冷する保冷庫である。保冷庫２はテーブルの天板１の下方に設置され、収納部６とテーブルの天板１に設置されている上蓋８で構成されている。収納部６は上方が開口しており、収納状態では上蓋８によって密閉されるようになっている。収納部６の中には傾斜保持部３ａ〜３ｄが設けられており、食品の一種であるドレッシング（背の高い食品）１１ａ〜１１ｃが斜めに寝かした状態で収納されている。収納部６は人２０が手前（図では左側）に引き出すことにより、背の高い食品などの収納物１１ａ〜１１ｃを取り出せる。
【００２３】
テーブルの天板１はコーナー部付近の４箇所に設けた４本のテーブルの脚９によって支えられ、保冷庫２と床面１９の間に空間部４が形成されており、保冷庫２の底部に人２０の脚が当たらない状態で人２０は椅子１０に座ることができる。また、保冷庫２は扁平な形状になっている。
【００２４】
以上のように構成された保冷庫付テーブルでは、収納部６に傾斜保持部３ａ〜３ｄが設けられていることにより、収納部６の内部の高さより背の高い食品でも整然と収納することができるだけでなく、たとえば背の高い食品である収納物１１ａを取り出す際、収納部６を必要最小限引き出すだけで背の高い食品の収納物１１ａを容易に取り出すことができる。他の背の高い食品の収納物１１ｂ、１１ｃを取り出す際も同様に、収納部６を必要最小限の距離を引き出すだけで取り出すことができる。
【００２５】
また、保冷庫２は人２０が座っている時に人の脚に当たることはなく、快適な状態で食事をすることができるだけでなく、収納部６を引き出す際に、スムーズに引き出すことができる。
【００２６】
さらに、背の高い食品でも傾斜保持部３ａ〜３ｄにより傾斜させて収納することにより、保冷庫２は高さが低い扁平な形状を実現することができ、人２０の脚が当たらないように空間部４を確保し、収納性、取り出しやすさを満たしながら、テーブルの天板１の高さを食事のしやすい高さにすることができる。
【００２７】
（実施の形態２）
図２（Ａ）に、本発明の第２の実施の形態における手前側が低くなった傾斜保持部を有する保冷庫付テーブルの収納部の概略構成を示す。同図（Ａ）は傾斜保持部３ａ〜３ｄがやや急勾配で手前側が低くなっており、背の高い食品などの収納物１１ａ、１１ｂ、１１ｃが収納されている状態である。
【００２８】
同図（Ａ）の場合の作用・効果は以下の通りである。缶入りの飲み物や、さまざまな種類のビン入り調味料などである場合、缶やビンの形状・色は互いに似通っていて見る角度によっては一目では区別しづらいことがある。しかし、手前側が低くなるように斜めに傾斜して保持されておれば、収納部６を手前（図では左方向）に引き出すと、ラベルやビンの中身が一目で見えるので、取り出したいものを速やかに判別して取り出すことができる。
【００２９】
（実施の形態３）
図２（Ａ）に、本発明の第３の実施の形態における手前側が低くなった傾斜保持部を有する保冷庫付テーブルの収納部の概略構成を示す。同図（Ｂ）は傾斜保持部３がゆるやかな勾配で手前側が低くなっており、円筒形の缶などの収納物１１ａ、１１ｂ、１１ｃが収納されている状態である。
【００３０】
同図（Ｂ）の場合の作用・効果は以下の通りである。缶やビンのような円筒形に近い形状の収納物１１ａ、１１ｂ、１１ｃを寝かして収納したり、果物のような球形に近い収納物１１ａ、１１ｂ、１１ｃを収納した場合、傾斜によって収納物１１ａ、１１ｂ、１１ｃは手前の方に集まっている。
【００３１】
一番手前に位置する収納物１１ａを取り出す場合収納部６を大きく引き出すことなく取り出すことができ、収納物１１ａを取り出したあと、収納物１１ｂ、１１ｃが転がって一番手前に来るので、次に収納物１１ｂを取り出す際も、収納部６を大きく引き出す必要がなく、容易に取り出すことができる。１１ｃについても同様に容易に取り出すことができる。
【００３２】
なお、第２および第３の実施の形態では、傾斜保持部３及び３ａ〜ｄは収納部６と別の構造体である場合を示しているが、収納部６の底面に同図（Ａ）（Ｂ）に示すような傾斜保持部を形成しても同様の効果が得られる。
【００３３】
（実施の形態４）
図３に、本発明の第４の実施の形態における線材によって構成された傾斜保持部を有する保冷庫の収納部の概略を示す。
【００３４】
同図（Ｂ）で、図中の破線で示す傾斜保持部３は線材１５ａ、１５ｂ、１５ｃによって形成されている。線材１５ａ、１５ｂ、１５ｃは同図（Ａ）に示すように収納部６の内部に横方向に渡されている（線材１５ｃは背の高い食品などの収納物１１ａ、１１ｂ、１１ｃの陰に隠れている）。収納物１１ａ、１１ｂ、１１ｃはこの線材１５ａ、１５ｂ、１５ｃで構成された傾斜保持部３に、斜めに傾いた状態で保持される。
【００３５】
この構成により、収納物１１ａ、１１ｂ、１１ｃは線材１５ａ、１５ｂ、１５ｃが当接している部分以外は収納部６の内部の冷気に触れているので、効率よく冷却される。また収納物１１ａ、１１ｂ、１１ｃが置かれていない部分がある場合には冷気の流れが傾斜保持部３で妨げられないので、収納部６の内部全体に冷気が速やかにいきわたり、冷却効率を高めることができる。
【００３６】
なお、本実施の形態では、傾斜保持部３が、手前側が高くなる向きに傾斜している場合を示したが、傾斜がどの向きであっても冷却性能に影響を与えることはなく、同様の効果が得られる。
【００３７】
（実施の形態５）
図４に本発明第４の実施の形態における、着脱可能な傾斜保持部と傾斜保持部を設置した収納部の概略を示す。同図（Ｂ）は着脱可能な傾斜保持部７が収納部６に１個設置された状態で、背の高い食品であるドレッシング瓶と缶である収納物１１ａ、１１ｂが収納されおり、収納物１１ａは傾斜保持部７により斜めに傾斜した状態で、収納物１１ｂは収納部６の底面に置かれて収納されている。
【００３８】
同図（Ｂ）に示すように、収納するものが収納物１１ｂのような高さの低いものや斜めに保持しにくい形状のものである場合、傾斜保持部が収納部６の全体に固定された状態であると収納しにくくなってしまう。しかし、必要に応じて傾斜保持部７を収納部６に設置するようにすれば、収納したいものを常に効率よく、また取り出しやすい状態で収納することができる。また収納物が少ない場合は傾斜保持部７を設置しない部分は冷気の流れが妨げられないので、収納庫６の内部全体に冷気が速やかにいきわたり、冷却効率を高めることができる。
【００３９】
なお本実施の形態では、傾斜保持部７を手前側が高くなるように装着しているが、収納したい物に応じてどのような向きに設置してもよい。
【００４０】
（実施の形態６）
図５に、本発明第７の実施の形態における、ペルチェ素子および真空断熱材を内蔵した保冷庫の概略を示す。同図に示すように、ペルチェ素子１２は上蓋８に内蔵されており、手前側、底面および奥側には真空断熱材１８ａ、１８ｂ、１８ｃが内蔵されている。図示されていないが左右両側面（図では奥側と手前側の面）にも真空断熱材が内蔵されている。ペルチェ素子に供給する電力を制御するペルチェ素子制御部１３は保冷庫２の背後に設置されている。
ペルチェ素子は電流を流すことにより片面で冷却、他方の面で放熱する板状の素子で、冷却面を保冷庫の収納部６の内側に向けて内蔵し、保冷空間１４を冷却する機能を持たせることができる。また、真空断熱材は発泡体や粉末シリカ、グラスウールなどの芯材をラミネートフィルムで包み、内部を減圧した板状の断熱材であり、ウレタンフォームなど他の断熱材に比べると、同じ厚さで数倍〜数１０倍の断熱性能が得られるものであるので、真空断熱材を内蔵することにより、断熱性能を確保しながら、収納庫６の外形が同じ大きさであっても保冷空間１４の容積を大きくすることができる。特に扁平な形状の場合、保冷空間の高さを確保できることにより、他の断熱材を用いた場合より収納性が大幅に向上する。
【００４１】
なお、本実施の形態では、ペルチェ素子１２が上蓋８に内蔵されているが、収納部６の側の前側、奥側、両側面、底面に内蔵されていても同様に、保冷空間を小さくすることなく冷却機能を持たせることができる。この場合、ペルチェ素子の放熱面側が外部空間に接しているので、上蓋８に内蔵した場合より効率よく放熱でき、保冷空間１４の冷却効率を高めることができる。
【産業上の利用可能性】
【００４２】
以上のように、本発明にかかる保冷庫付テーブルは、必要なもの収納しておき、テーブルに向かって座った状態で中のものを取り出しやすい収納を可能にするものであり、保冷庫にかかわらず、テーブルの天板下方に設置する引き出し式の収納庫を備えたシステムであれば利用できる。
【符号の説明】
【００４３】
１  天板
２  保冷庫
３  傾斜保持部
３ａ〜３ｄ  傾斜保持部
４  空間部
５  収納庫底面
６  収納部
７  傾斜保持部
１０  椅子
１１  収納物（食品、飲料）
１１ａ〜１１ｃ  収納物
１２  ペルチェ素子
１４  保冷空間
１５ａ〜１５ｃ  線材
１８ａ〜１８ｃ  真空断熱材
【図１】
2011036579.tif 000003
【図２】
2011036579.tif 000004
【図３】
2011036579.tif 000005
【図４】
2011036579.tif 000006
【図５】
2011036579.tif 000007